【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
１回の停止で建物の複数の階を同時に扱うマルチケージ（４）を有するエレベータ装置を制御するための制御装置であり、前記マルチケージは複数のケージデッキ（５、６）を備え、これらのケージデッキは、異なるメイン停止面（“１”、“２”）により、メイン停止地点（ＨＨ）に同時にアクセス可能であり、前記メイン停止地点（ＨＨ）には呼び出し登録装置（１１）が設けられ、この呼び出し登録装置（１１）により、乗客（Ｐ）が自分の望む行先階を入力することができる制御装置であって、
ａ）前記メイン停止地点（ＨＨ）での乗客（Ｐ）の行先呼び出しに基づいて、また、前記マルチケージ（４）に対して既に割り当てられた移動命令および／または前記マルチケージ（４）から要求された移動命令に基づいて、前記マルチケージ（４）のいずれのケージデッキ（５、６）が前記メイン停止地点（ＨＨ）にいる乗客（Ｐ）に対して割り当てられるべきかを確認することにより、前記マルチケージ（４）の停止回数を最小限に抑える変換ユニット（ＳＵＰＵ）と、
ｂ）前記メイン停止地点（ＨＨ）にいる乗客（Ｐ）に対して、自分の割り当てられたケージデッキ（６）および／またはそのメイン停止面（“２”）を指示することができる指示装置（１１ａ）と、を備えていることを特徴とする、制御装置。
【請求項２】
前記変換ユニット（ＳＵＰＵ）は、建物の構造、特に前記マルチケージ（４）によって扱われる階同士の間の様々な間隔に対して適合されるか又は適合可能であることを特徴とする、請求項１に記載の制御装置。
【請求項３】
前記変換ユニット（ＳＵＰＵ）は、建物の構造に基づいて、特に扱われる行先階同士の間の距離に基づいて、割り当てられるべき前記ケージデッキ（５、６）を確認することができることを特徴とする、請求項２に記載の制御装置。
【請求項４】
前記変換ユニット（ＳＵＰＵ）は建物の構造に適合されるか又は適合可能であり、これにより、割り当てられるべき前記ケージデッキ（５、６）を確認する際、前記エレベータ装置によって既に直接に扱われた階で前記ケージデッキ（５、６）のうちの１つが停止しなかった前記マルチケージ（４）の停止場所を考慮に入れるとともに、そのような停止の回数が最小となるように割り当てを行なうことを特徴とする、請求項２または３に記載の制御装置。
【請求項５】
前記変換ユニット（ＳＵＰＵ）は、それぞれの停止において、前記マルチケージ（４）の前記ケージデッキ（５、６）の数でその階数が割りきれる階へと前記ケージデッキ（５、６）が行ったかどうかを考慮することなく、このエレベータに関して既に前記メイン停止地点（ＨＨ）で登録され又は要求された全ての行先呼び出しに基づいて、および／または、全てのエレベータ装置で登録され又は要求された行先呼び出しに基づいて、動的に、前記メイン停止地点（ＨＨ）での行先呼び出しに対して割り当てられるべき前記ケージデッキ（５、６）の確認を行なうように構成されている、請求項１から４のいずれか一項に記載の制御装置。
【請求項６】
前記変換ユニット（ＳＵＰＵ）は、ダブルケージ（４）を有するエレベータ装置の場合、登録されたおよび／または要求された行先呼び出しに基づいて、行先階が偶数および奇数の乗客（Ｐ）を１つのケージデッキ（５、６）にグループ分けして、停止回数を最小限に抑えることができることを特徴とする、請求項１から５のいずれか一項に記載の制御装置。
【請求項７】
前記メイン停止地点（ＨＨ）の前記呼び出し登録装置（１１）は、前記メイン停止地点（ＨＨ）の１つの入力場所で乗客が前記エレベータ装置によって扱われる全ての階から自分の行先階を選択することができるように構成され、前記指示装置（１１ａ）は、前記入力場所に関連付けられるとともに、前記呼び出し登録装置（１１）にディスプレイを有していることを特徴とする、請求項１から６のいずれか一項に記載の制御装置。
【請求項８】
複数のエレベータ（Ａ、Ｂ、Ｃ、．．．）を有するエレベータ装置の場合、前記変換ユニット（ＳＵＰＵ）は、デッキ番号によって行先階が割りきれることに基づいて、割り当てられるべきエレベータ（Ａ）だけでなく割り当てられるべきケージデッキ（６）も確認することができ、これにより、全停止回数が最小限に抑えられるとともに、前記指示装置（１１ａ）は、そのように割り当てられたエレベータ（Ａ）だけでなく割り当てられたケージデッキ（６）および／またはこれがアクセス可能なメイン停止面（“２”）も指示することができることを特徴とする、請求項１から７のいずれか一項に記載の制御装置。
【請求項９】
前記変換ユニット（ＳＵＰＵ）は比較装置（ＶＥ）を備え、この比較装置は、前記マルチケージ（４）に対して既に割り当てられた移動命令を考慮した特定の割り当てが、他の割り当てとの比較により、前記マルチケージ（４）に対して割り当てられた移動命令を実行するために次に前記メイン停止地点（ＨＨ）から出発する移動の場合における停止回数を更に少なくするか否かに関して、前記メイン停止地点（ＨＨ）での乗客（Ｐ）の行先呼び出しの前記ケージデッキ（５、６）に対する可能な割り当てを比較することを特徴とする、請求項１から８のいずれか一項に記載の制御装置。
【請求項１０】
前記変換ユニットは、前記比較装置（ＶＥ）によって２つの可能な割り当てを比較した後、少ない停止回数を与える方の割り当てを選択する選択装置（ＡＥ）を備えていることを特徴とする、請求項９に記載の制御装置。
【請求項１１】
１回の停止で建物の複数の階を同時に扱うマルチケージ（４）を有するエレベータ装置であり、前記マルチケージは複数のケージデッキ（５、６）を備え、これらのケージデッキは、異なるメイン停止面（“１”、“２”）により、メイン停止地点（ＨＨ）に同時にアクセス可能であり、前記メイン停止地点（ＨＨ）には呼び出し登録装置（１１）が設けられ、この呼び出し登録装置（１１）により、乗客（Ｐ）が自分の望む行先階を入力することができるエレベータ装置であって、請求項１から１０のいずれか一項に記載の制御装置を備えていることを特徴とする、エレベータ装置。
【請求項１２】
１回の停止で建物の複数の階を同時に扱うことができるマルチケージ（４）を有するエレベータ装置を制御するための方法であり、通常の動作時には、前記マルチケージ（４）の各ケージデッキ（５、６）がメイン停止面（“１”、“２”）で停止するように、異なるメイン停止面（“１”、“２”）を有するメイン停止地点（ＨＨ）がアクセスされ、乗客（Ｐ）の行先呼び出しが前記メイン停止地点（ＨＨ）で登録される方法であって、前記メイン停止地点（ＨＨ）での行先呼び出しは、前記メイン停止地点（ＨＨ）で登録された行先呼び出しに基づいて、および／または、他の階で登録された行先呼び出しに基づいて、および／または建物の構造に基づいて、前記メイン停止地点（ＨＨ）によってアクセス可能な前記ケージデッキ（５、６）のうちの１つに対して割り当てられることを特徴とする、方法。
【請求項１３】
前記ケージデッキ（５、６）の割り当ては、前記マルチケージ（４）の前記ケージデッキ（５、６）の数で行先階の数が割り切れることを考慮することなく、動的に行なわれることを特徴とする、請求項１２に記載の方法。
【請求項１４】
乗客の行先が入力された直後に、メイン停止地点（ＨＨ）にいる乗客（Ｐ）に対して、割り当てられた自分のケージデッキ（５、６）および／または割り当てられ自分のメイン停止面（“１”、“２”）が表示されることを特徴とする、請求項１２または１３に記載の方法。
【請求項１５】
複数のエレベータ（Ａ、Ｂ、Ｃ．．．）を有するエレベータ装置の場合に、エレベータ（Ａ）だけでなく、ケージデッキ（６）も割り当てられることを特徴とする、請求項１２から１４のいずれか一項に記載の方法。
【請求項１６】
乗客の行先呼び出しの直後に、前記メイン停止地点（ＨＨ）にいる乗客（Ｐ）に対して、割り当てられたエレベータ（Ａ）だけでなく、そのケージデッキ（６）または対応するメイン停止面（“２”）も表示されることを特徴とする、請求項１４または１５に記載の方法。
【請求項１７】
いずれのケージデッキ（５、６）がメイン停止地点（ＨＨ）での行先呼び出しに対して割り当てられるかについての決定は、前記マルチケージ（４）に対して割り当てられた移動命令を実行するために前記メイン停止地点（ＨＨ）から次に出発する移動の場合において、マルチケージ（４）または複数のマルチケージに対して既に割り当てられた移動命令を考慮した特定の割り当てが他の割り当てよりも少ない停止数を与えるか否かに基づいて行なわれることを特徴とする、請求項１２から１６のいずれか一項に記載の方法。